(57)【要約】演習用ゴルフパターを開示する。本発明による演習用ゴルフパターは、シャフトの下端部に結合され、ヘッド打撃面を有するパターヘッドと、該パターヘッドに選択的に結合される打撃部材を含み、上記パターヘッドには、締付けボルトが底面から上向きに挿通するための貫通孔が段差をもって設けられ、該貫通孔と対応する上記ヘッド打撃面には上記パターヘッドの上面の一部を打撃方向に向けて開放するための切開部が形成され、上記打撃部材は、ゴルフボール状に形成され、その底面には上記上面に載置される載置面と上記上面の縁部に支持される支持面が段差をもって形成され、上記載置面には上記締付けボルトを締め付け結合するためのねじ締付け用溝が設けられ、上記打撃部材の打撃面の一部が上記切開部を介して上記ヘッド打撃面よりも突出するように上記上面に載置された状態で上記締付けボルトによって上記パターヘッドに入れ替え可能に結合されることを特徴とする。【選択図】図３
2019521808.tif 000002
【特許請求の範囲】
【請求項１】
シャフトの下端部に結合され、ヘッド打撃面を有するパターヘッドと、該パターヘッドに選択的に結合される打撃部材を含み、
上記パターヘッドには、締付けボルトが底面から上向きに挿通するための貫通孔が段差をもって設けられ、該貫通孔と対応する上記ヘッド打撃面には上記パターヘッドの上面の一部を打撃方向に向けて開放するための切開部が形成され、
上記打撃部材は、ゴルフボール状に形成されて外周面に打撃面が形成され、上記打撃部材の底面には、上記パターヘッドの上面に載置される載置面と上記上面の縁部に支持される支持面が段差をもって形成され、上記載置面には上記締付けボルトを締め付け結合するためのねじ締付け用溝が設けられ、上記打撃部材の打撃面の一部が上記切開部を介して上記ヘッド打撃面よりも突出するように上記上面に載置された状態で上記締付けボルトによって上記パターヘッドに入れ替え可能に結合されることを特徴とする、
演習用ゴルフパター。
【請求項２】
上記打撃部材の打撃面は、
ゴルフボールと同じ曲率を有する球面打撃面または平面からなる平面打撃面であり、上記平面打撃面からなる場合に上記打撃部材は上記平面打撃面の寸法別に多数具備されて選択的に上記パターヘッドに結合されることを特徴とする、
請求項１に記載の演習用ゴルフパター。
【請求項３】
シャフトの下端部に結合され、ヘッド打撃面を有するパターヘッドと、該パターヘッドに選択的に結合される打撃部材を含み、
上記パターヘッドには、上記締付けボルトが底面から上向きに挿通するための貫通孔が段差をもって設けられ、上記貫通孔と対応する上記ヘッド打撃面には上記パターヘッドの上面の一部を打撃方向に向けて開放するための切開部が形成され、上記貫通孔の設けられた上面には３〜８角形の結合突起が上向きに突設され、
上記打撃部材は、ゴルフボール状に形成されて外周面には互いに異なる形状や大きさを有する複数の打撃面がそれぞれ形成され、底面には上記上面に載置されるための載置面が形成され、上記載置面には上記上面に載置される際に上記結合突起が挿入されて結合され上記打撃面と同じ方向を有する結合面が３〜８角形に形成された結合溝が備えられ、該結合溝には上記締付けボルトを締め付け結合するねじ締付け用溝が形成され、
上記複数の打撃面のうち選択された打撃面が上記切開部を介して露出されるように上記打撃部材の方向を設定して上記結合溝に上記結合突起を結合させ上記締付けボルトを上記貫通孔を介して上記結合溝のねじ締付け用溝に締め付けて結合することを特徴とする、
演習用ゴルフパター。
【請求項４】
シャフトの下端部に結合されるパターヘッドを含み、
上記パターヘッドは、
ゴルフボール状の球状からなり上記シャフトの下端部が結合される第１打撃部材と、ゴルフボール状の球状からなり上記第１打撃部材と一直線上に位置するように上記第１打撃部材の側面に水平方向に結合される第２打撃部材と、ゴルフボール状の球状からなり上記第１打撃部材及び上記第２打撃部材と一直線上に位置するように上記第２打撃部材の側面に水平方向に結合される第３打撃部材；及び、
上記第１打撃部材、上記第２打撃部材及び上記第３打撃部材に挿通される一端にナットが締め付けられ他端にシャフトが締め付けられて上記第１打撃部材、上記第２打撃部材及び上記第３打撃部材を一体化させるための結合ロッド；を含んでなることを特徴とする、
演習用ゴルフパター。
【請求項５】
上記第１打撃部材、上記第２打撃部材及び上記第３打撃部材には、
ゴルフボールと同じ曲率を有する球面打撃面及び平面からなる平面打撃面がそれぞれ形成され、該平面打撃面は互いに異なる寸法を有してそれぞれ形成されることを特徴とする、請求項４に記載の演習用ゴルフパター。
【請求項６】
上記第１打撃部材及び上記第３打撃部材とそれぞれ当接する上記第２打撃部材の両側面及び上記第１打撃部材と上記第３打撃部材には、
上記第２打撃部材と上記第３打撃部材の位置を変更したり、それぞれの球面打撃面及び平面打撃面を選択したり、右利き・左利きに応じて打撃面を可変させたりするための位置変更手段が設けられ、
上記位置変更手段は、
所定の長さを有する多角形の連結結合部材；及び
上記連結結合部材が嵌合されるように上記第１打撃部材、上記第２打撃部材及び上記第３打撃部材の両側面に形成される多角形の位置決め溝；からなることを特徴とする、
請求項４に記載の演習用ゴルフパター。
【請求項７】
上記シャフトには、ホールカップの大きさを推定するための推定孔を有する推定部材が折り曲げ可能に上記シャフトに軸を介してヒンジ結合され、
上記シャフトには上記推定部材を基準として上記推定孔の大きさを表示するための推定目盛りが連続して形成されることを特徴とする、
請求項１ないし６のいずれか一つに記載の演習用ゴルフパター。
【発明の詳細な説明】
【技術分野】
【０００１】
本発明は、演習用ゴルフパターに関し、より詳しくは、打撃面を入れ替えて使用することができ、右利きや左利きの人が容易に使うことができることから、パッティンググリーン上のゴルフボールをホールの中に正確に入れるためのパッティング演習を効率的に行うことができる演習用ゴルフパターに関する。
【背景技術】
【０００２】
一般的にパターとは、パット用アイアンクラブを用いてグリーン上で直接ホールに向けてボールを打撃する際に使う器具であり、パッティングとは、パターでボールを打撃する行為を言う。
このパッティングをするにあたって、成功的なパッティングを行うためには方向や距離感も重要であるが、最も基本的に要求されるのは正しいパッティング姿勢であり、これは長い間多くの練習をこなしてその感覚を身につけなければならない。
【０００３】
上記正しいパッティング姿勢とは、スイングをする際の、パターとパターを握っている両手とがゴルファーの頭を中心に振り子運動をして、この振り子運動の最低点でパターヘッドがボールをインパクトすることを言い、このような姿勢で打撃してこそボールを所望の位置へ移動させられるのである。
【０００４】
従って、スイング時に手首が折れたり体が動いたりすると、正確な振り子運動がなされず、不適切な位置でボールがインパクトされるため、ボールが所望の位置へ移動できなくなる。
【０００５】
このような問題点を解消するための方案として、演習用パターでパッティング演習をすることにより多少解消することができた。
【０００６】
先行技術として、大韓民国登録実用新案第２０−０３５０４６２号（公告日：２００４.０５.１３）には、ゴルフ演習用パターが開示されている。
【０００７】
図１に示されているように、先行技術によるゴルフ演習用パター１は、パターヘッド２の前方中央部にゴルフボール３を正確に打つための三角形や半円形の打撃突起２Ａが設けられている。このゴルフ演習用パター１は半円形の打撃突起２Ａを用いてゴルフボール３を正確に打つ演習ができるとの長所があった。  
しかし、このようなパター１は、パターヘッド２と打撃突起２Ａとが一体に形成されることから、様々な構造の打撃突起２Ａが適用できないとの問題点があった。
【０００８】
他の先行技術として、大韓民国登録実用新案第２０−０３９５８３５号（公告日：２００５.０９.１４）には、ゴルフパター用パッティング演習具が開示されている。図２に示されているように、中間部は一番幅が広い打撃部１Ａからなり、上面にはセンター線１０１を表示したパッティング具１の両側には固定板１’、１''を形成し、固定板１'、１''をパターヘッド２に接触させてゴムバンド３で固定させ得るように構成したものである。このような構造のパッティング演習具は、パッティング具１が入れ替え可能に構成されているが、パッティング具１をゴムバンド３で結合するように構成されたため、堅固な結合力が維持できない問題点があった。
【発明の概要】
【発明が解決しようとする課題】
【０００９】
本発明の目的は、パッティング演習用パターの打撃面を入れ替えて使用することができるため、パッティンググリーン上のゴルフボールをホールに正確に入れるためのパッティング演習を効率的に行うことができ、多様な打撃面を使うことができ、右利きの人には勿論のこと左利きの人にも容易に適用可能で演習の効率性を向上させ得る演習用ゴルフパターを提供することにある。
【００１０】
また、多様な打撃面を有する打撃部材とパターヘッドとの堅固な結合構造を提供することにある。
【００１１】
また、本発明が解決しようとする課題は、以上で言及した技術的課題に限定されるのではなく、言及されていない他の技術的課題は本発明の属する技術分野における通常の知識を有する者であれば、以下の記載から明確に理解できるであろう。
【課題を解決するための手段】
【００１２】
上記目的は、本発明により、上記パターヘッドには、締付けボルトが底面から上向きに挿通するための貫通孔が段差をもって設けられ、該貫通孔と対応する上記パターヘッドの打撃面（以下‘ヘッド打撃面’ともいう）には上記パターヘッドの上面の一部を打撃方向に向けて開放するための切開部が形成され、上記打撃部材は、ゴルフボール状に形成されて外周面に打撃面が形成され、上記打撃部材の底面には上記上面に載置され上記上面の 縁部にそれぞれ支持される載置面と支持面が段差をもって形成され、上記載置面には上記締付けボルトを締め付け結合するためのねじ締付け用溝が設けられ、上記打撃面の一部が上記切開部を介して上記ヘッド打撃面よりも突出するように上記上面に載置された状態で上記締付けボルトによって上記パターヘッドに入れ替え可能に結合されることを特徴とする、演習用ゴルフパターにより達成される。
【００１３】
上記目的は、本発明により、シャフトの下端部に結合され、ヘッド打撃面を有するパターヘッドと、該パターヘッドに選択的に結合される打撃部材とを含み、上記パターヘッドには、締付けボルトが底面から上向きに挿通するための貫通孔が段差をもって設けられ、該貫通孔と対応する上記ヘッド打撃面には上記パターヘッドの上面の一部を打撃方向に向けて開放するための切開部が形成され、上記貫通孔の設けられた上面には３〜８角形の結合突起が上向きに突設され、上記打撃部材は、ゴルフボール状に形成されて外周面には形状や寸法が互いに異なる複数の打撃面がそれぞれ形成され、その底面には上記上面に載置されるための載置面が形成され、該載置面には結合溝が備えられて上記上面への載置時に上記結合突起が挿入されて結合され、上記結合溝には上記打撃面と同じ方向を有する３〜８角形の結合面が形成され、上記締付けボルトを締め付けて結合するためのねじ締付け用溝を備えてなり、上記打撃面の中で選択された打撃面が上記切開部を介して露出されるように上記打撃部材の方向を設定して上記結合溝に上記結合突起を結合させ、上記締付けボルトを上記貫通孔を介して上記結合溝のねじ締付け用溝に締め付けて結合することを特徴とする、演習用ゴルフパターによって達成される。
【００１４】
上記打撃部材の打撃面は、ゴルフボールと同じ曲率を有する球面打撃面または平面からなる平面打撃面に形成され、該平面打撃面からなる場合に上記打撃部材は上記平面打撃面の寸法別に多数備えられてもよい。
【００１５】
上記目的は、本発明により、シャフトの下端部に結合されるパターヘッドを含み、該パターヘッドは、ゴルフボール状の球状からなり上記シャフトの下端部が結合される第１打撃部材と、ゴルフボール状の球状からなり上記第１打撃部材と一直線上に位置するように上記第１打撃部材の側面に水平方向に結合される第２打撃部材と、ゴルフボール状の球状からなり上記第１打撃部材及び第２打撃部材と一直線上に位置するように上記第２打撃部材の側面に水平方向に結合される第３打撃部材；並びに、上記第１打撃部材、第２打撃部材及び第３打撃部材を貫通した一端にナットが締め付けられ他端にシャフトが締め付けられて上記第１打撃部材、第２打撃部材及び第３打撃部材を一体化させる結合ロッド；を含んでなることを特徴とする、演習用ゴルフパターによって達成される。
【００１６】
上記第１打撃部材、第２打撃部材及び第３打撃部材には、ゴルフボールと同じ曲率を有する球面打撃面及び平面からなる平面打撃面がそれぞれ形成され、該平面打撃面は互いに異なる寸法にそれぞれ形成されることができる。
【００１７】
上記第１打撃部材及び第３打撃部材とそれぞれ当接する上記第２打撃部材の両側面、及び上記第１打撃部材と第３打撃部材には、上記第２打撃部材と第３打撃部材の位置を変更したり、それぞれの球面打撃面及び平面打撃面を選択したり、又は右利き・左利きに応じて打撃面を可変させたりするための位置変更手段が設けられ、この位置変更手段は、所定の長さを有する多角形の連結結合部材；及び、該連結結合部材が嵌合されるように上記第１打撃部材、第２打撃部材及び第３打撃部材の両側面に形成される多角形の位置決め溝；からなってもよい。
【００１８】
上記シャフトには、ホールカップの大きさを推定するための推定孔を備えた推定部材が折り曲げ可能に上記シャフトに軸を介してヒンジ結合され、該シャフトには上記推定部材を基準として上記推定孔の大きさを表示するための推定目盛りが連続して形成されてもよい。
【発明の効果】
【００１９】
本発明によれば、多様な打撃面を有する打撃部材をパターヘッドに選択的に結合することができ、入れ替え可能で、打撃面が選択できることからパッティング演習が効率的に行われるとの効果を提供することができる。
また、打撃面の方向を可変させることができるため、右利きの人は勿論のこと左利きの人も容易に使える効果を提供することができる。
尚、シャフトにホールカップの大きさが推定可能な推定部材を軸を介してヒンジ結合することにより、グリーンにおけるパッティングの際にパッティング方向が正確に把握可能な効果を提供することができる。
【図面の簡単な説明】
【００２０】
【図１】従来技術による演習用ゴルフパターを示す図である。
【図２】従来技術による演習用ゴルフパターを示す図である。
【図３】本発明の第１実施例を示す分解斜視図である。
【図４】図１に示された打撃部材の他の実施例を示す斜視図である。
【図５】図３に示された演習用ゴルフパターの結合状態を示す断面図である。
【図６】図３に示された演習用ゴルフパターの使用状態を示す平面図である。
【図７】本発明の第２実施例を示す分解斜視図である。
【図８】図７に示された演習用ゴルフパターの結合状態断面図である。
【図９】図７に示された演習用ゴルフパターの打撃方向を変えた状態を示す平面図である。
【図１０】本発明の第３実施例を示す分解斜視図及び断面図である。
【図１１】図１０に示された演習用ゴルフパターの使用状態を示す平断面図である。
【図１２】本発明の第４実施例を示す斜視図である。
【図１３】図１２に示された推定部材の使用を説明するための概略図である。
【発明を実施するための形態】
【００２１】
以下、添付図面を参照して本発明の望ましい実施例を詳細に説明する。但し、本発明を説明するにあたって、既に公知となった機能や構成に対する説明は、本発明の要旨を明瞭にするために省略することとする。  
【００２２】
添付図面のうち、図３は本発明の第１実施例を示す分解斜視図であり、図４は図１に示された打撃部材の他の実施例を示す斜視図、図５は図３に示された演習用ゴルフパターの結合状態を示す断面図である。
【００２３】
図３〜図５に示されているように、本発明の第１実施例による演習用ゴルフパターは、上端部にクラブを備えたシャフト１０の下端部にヘッド打撃面２４を有するパターヘッド２０が結合され、パターヘッド２０に打撃部材３０が着脱可能に結合されている。
【００２４】
これをより具体的に説明する。
【００２５】
パターヘッド２０には、締付けボルト４０が底面から上向きに挿通するための貫通孔２２が段差をもって設けられ、貫通孔２２と対応するヘッド打撃面２４にはパターヘッド２０の上面２３の一部を打撃方向に向けて開放するための切開部２６が形成される。
【００２６】
貫通孔２２を段差をもって設ける理由は、締付けボルト４０が貫通孔２２を介して打撃部材３０に結合された時、締付けボルト４０の頭部がパターヘッド２０の底面から突出しないようにするためである。
【００２７】
そして、貫通孔２２と切開部２６はパターヘッド２０の中間に形成されるのが望ましい。
【００２８】
打撃部材３０は、パターヘッド２０に選択的に結合又は分離されるように構成されるもので、図３に示されているようにゴルフボールと同じ形状、ゴルフボールと同一類似の大きさで形成され、外周面には球面状又は平面状の打撃面３４が形成され、底面にはパターヘッド２０の上面２３に載置される載置面３２が形成され、載置面３２の一側には載置面３２が上面２３に載置される際に該上面２３の縁部２３Ａに支持されるための支持面３２Ａが段差をもって形成される。載置面３２には締付けボルト４０を締め付け結合するためのねじ締付け用溝３２Ｂが雌ねじ山をもって形成される。
【００２９】
このような打撃部材３０は、打撃面３４の一部が切開部２６を介してヘッド打撃面２４よりも突出するように上面２３に載置された状態で締付けボルト４０によってパターヘッド２０に入れ替え可能に結合される。また、締付けボルト４０がパターヘッド２０の底面から貫通孔２２を介してねじ締付け用溝３２Ｂに締め付けられた際に、締付けボルト４０の頭部が段差付き貫通孔２２に挿入されているため、パターヘッド２０の底面から突出することがない。
【００３０】
一方、打撃部材３０の打撃面３４は、ゴルフボールと同じ曲率を有する球面打撃面３４Ａまたは平面からなる平面打撃面３４Ｂに形成され、平面打撃面３４Ｂからなる場合、打撃部材３０は平面打撃面３４Ｂの寸法別に多数備えられるのが望ましい。すなわち、互いに異なるサイズの平面打撃面３４Ｂを有する多数の打撃部材３０を備えれば、使用者は所望するサイズの平面打撃面３４Ｂを有する打撃部材３０を選択し、パターヘッド２０に結合して使用することができる。
【００３１】
このように構成された本発明の第１実施例による演習用ゴルフパターの作用を説明する。
【００３２】
使用者は、それぞれ異なる打撃面３４、例えば、球面打撃面３４Ａを有する打撃部材３０を選択してパターヘッド２０の上面２３に結合するか、若しくは平面打撃面３４Ｂを有する打撃部材３０を選択してパターヘッド２０の上面２３に結合する。すなわち、使用者は所望する打撃面３４を有する打撃部材３０を選択し、締付けボルト４０を用いてパターヘッド２０に結合する。
【００３３】
続いて、打撃部材３０がパターヘッド２０に結合されれば、打撃面３４は切開部２６を介してパターヘッド２０の打撃面２４よりも打撃方向に向かって突出するため、使用者は図６に示されているように打撃部材３０でゴルフボールを打撃するパッティング演習を行うことができる。
【００３４】
また、使用者は球面打撃面３４Ａを有する打撃部材３０をパターヘッド２０に結合したり、平面打撃面３４Ｂを有する打撃部材３０をパターヘッド２０に結合したりして選択的に使用することができるため、多様な打撃面でパッティング演習を効率的に行うことができるようになる。
【００３５】
尚、打撃部材３０の載置面３２がパターヘッド２０の上面２３に載置され支持面３２Ａが上面２３の縁部に支持されて、締付けボルト４０が貫通孔２２を介してねじ締付け用溝３２Ｂに締め付けられるため、打撃部材３０とパターヘッド２０との堅固な結合状態が維持できてパッティング演習時に打撃部材３０が遊動しないだけでなく、支持面３２Ａが上面２３の縁部２３Ａに支持されるため、ゴルフボールの打撃時に打撃部材３０が遊動することなく安定した打撃が可能となる。
【００３６】
添付図面のうち、図７は本発明の第２実施例を示す分解斜視図であり、図８は図７に示された演習用ゴルフパターの結合状態断面図、図９は図７に示された演習用ゴルフパターの打撃方向を変えた状態を示す平面図である。
図７〜図９に示されているように、第２実施例による演習用ゴルフパターは、シャフト１０の下端部に結合されるパターヘッド２００を含み、パターヘッド２００は、ゴルフボール状の球状からなりシャフト１０の下端部が結合される第１打撃部材３００Ａと、ゴルフボール状の球状からなり第１打撃部材３００Ａと一直線上に位置するように第１打撃部材３００Ａの側面に水平方向に結合される第２打撃部材３００Ｂと、ゴルフボール状の球状からなり第１打撃部材３００Ａ及び第２打撃部材３００Ｂと一直線上に位置するように第２打撃部材３００Ｂの側面に水平方向に結合される第３打撃部材３００Ｃと、これら第１打撃部材３００Ａ、第２打撃部材３００Ｂ及び第３打撃部材３００Ｃに挿通される一端にナットが締め付けられ他端にシャフトが締め付けられて第１打撃部材３００Ａ、第２打撃部材３００Ｂ及び第３打撃部材３００Ｃを一体化させる結合ロッド４００を含んでなるものである。
【００３７】
このような、第１打撃部材３００Ａ、第２打撃部材３００Ｂ及び第３打撃部材３００Ｃの各々の外周面には、ゴルフボールと同じ曲率を有する球面打撃面３２０及び平面からなる平面打撃面３４０がそれぞれ形成され、平面打撃面３４０は互いに異なる寸法をもって形成される。すなわち、各々の打撃部材３００Ａ、３００Ｂ、３００Ｃの外周面を４等分して一面を球面打撃面３２０に形成し、他の各面は互いに異なる寸法の平面打撃面３４０に形成するのである。このように一つの打撃部材に互いに異なる多数の打撃面を形成する理由は、使用者に多様な大きさや形状（球面または平面）を有する打撃面を選択的に使用させ得るためである。
【００３８】
そして、第１打撃部材３００Ａ及び第３打撃部材３００Ｃと当接する第２打撃部材３００Ｂの両側面、第１打撃部材３００Ａ及び第３打撃部材３００Ｃには、第２打撃部材３００Ｂと第３打撃部材３００Ｃの位置を変更したり、それぞれの球面打撃面３２０及び平面打撃面３４０を選択したり、右利き・左利きに応じて打撃面３２０,３４０を可変させたりするための位置変更手段５００が設けられる。
【００３９】
位置変更手段５００は、所定の長さを有する３〜８角形の連結結合部材５１０と、連結結合部材５１０が嵌合されるように第１打撃部材３００Ａ、第２打撃部材３００Ｂ及び第３打撃部材３００Ｃの両側面に形成される３〜８角形の位置決め溝５２０とからなる。
【００４０】
このような多角形の連結結合部材５１０と多角形の位置決め溝５２０は、本実施例では四角形のものを基準として説明しており、連結結合部材５１０の数は最小２つである。これは中央に位置する打撃部材の両方に他の打撃部材がそれぞれ連結されて結合されるためである。
【００４１】
上記第１打撃部材３００Ａ、第２打撃部材３００Ｂ及び第３打撃部材３００Ｃはゴルフボールと同じ材質からなってもよく、金属材や合成樹脂材からなってもよい。
【００４２】
そして、それぞれの連結結合部材５１０は結合ロッド４００が挿通するための通孔がそれぞれ設けられる。
【００４３】
このように構成された第２実施例による演習用ゴルフパターの作用を説明する。
【００４４】
図８に示されているように、第１打撃部材３００Ａにシャフト１０が結合され、第１打撃部材３００Ａに第２打撃部材３００Ｂが当接して位置し、第２打撃部材３００Ｂに第３打撃部材３００Ｃが当接して位置している状態で、一つの連結結合部材５１０Ａの一端を第１打撃部材３００Ａの位置決め溝５２０に嵌合し、他端を第２打撃部材３００Ｂの一面に設けられた位置決め溝５２０に嵌合する。そして他の連結結合部材５１０Ｂの一端を第２打撃部材３００Ｂの他面に形成された位置決め溝５２０に嵌合し、他端を第３打撃部材３００Ｃの一面に設けられた位置決め溝５２０に嵌合する。
【００４５】
引き続き、結合ロッド４００を第１打撃部材３００Ａ、第１の連結結合部材５１０、第２打撃部材３００Ｂ、第２の連結結合部材５１０、第３打撃部材３００Ｃに挿通させる。そして、第３打撃部材３００Ｃの他面側の位置決め溝５２０と、第１打撃部材３００Ａの他面側の位置決め溝５２０から露出された結合ロッド４００にナットを締め付けることにより、第１，２，３打撃部材３００Ａ，３００Ｂ，３００Ｃを一体化させる。
【００４６】
このような状態で図９の（ａ）に示されているように右利きの使用者は第１，２，３打撃部材３００Ａ，３００Ｂ，３００Ｃからなるパターヘッド２００を有するパターでパッティング演習を行うことができる。この時、ゴルフボールを打撃する打撃面は、中央に位置する打撃部材の球面打撃面３２０または平面打撃面３４０となる。
【００４７】
一方、使用者が打撃面３２０，３４０のうち球面打撃面３２０を選択するためには、第１，２，３打撃部材３００Ａ，３００Ｂ，３００Ｃを一体化させた結合ロッド４０のナットを緩めて中央に位置する第２打撃部材３００Ｂからそれぞれの連結結合部材５１０を引き抜いた後、第２打撃部材３００Ｂを回転させて所望の球面打撃面３２０が打撃方向に位置するようにした上で上述した過程で結合ロッド４０の両端にナットを締め付け第１，２，３打撃部材３００Ａ，３００Ｂ，３００Ｃを再び一体化させる。
【００４８】
また、左利きの使用者の場合には図９の（ｂ）に示されているように打撃方向を変えて打撃すれば良い。すなわち、それぞれの打撃部材３００Ａ，３００Ｂ，３００Ｃには球面または平面の打撃面３２０，３４０が複数形成されているため、左利きの使用者はクラブを握って打撃方向さえ変えれば打撃できるようになる。
【００４９】
このように、本実施例による演習用ゴルフパターは各打撃部材３００Ａ，３００Ｂ，３００Ｃを選択して打撃面を選択することができることから、多様な打撃面３２０，３４０を用いてパッティング演習をより効率的に行うことができ、右利きの使用者は勿論のこと左利きの使用者も容易にパッティング演習ができるようになる。
【００５０】
添付図面のうち、図１０は本発明の第３実施例を示す分解斜視図及び断面図であり、図１１は図１０に示された演習用ゴルフパターの使用状態を示す平断面図である。
【００５１】
上記図１０及び図１１に示されているように、第３実施例による演習用ゴルフパターは、パターヘッド２０には、締付けボルト４０が底面から上向きに挿通するための貫通孔２２が段差をもって設けられ、貫通孔２２と対応するヘッド打撃面２４にはパターヘッド２０の上面２３の一部を打撃方向に向けて開放するための切開部２６が形成され、貫通孔２２の設けられた上面２３には３〜８角形の結合突起２７が上向きに突設された構造を有する。この時、結合突起２７は本実施例では四角形のものを基準として説明するが、これに限るのではなく、三角乃至八角形に形成されてもよい。また打撃部材３０は、ゴルフボール状で外周面には互いに異なる形状や大きさを有する複数の打撃面３４がそれぞれ形成され、底面には上面２３に載置されるための載置面３２が形成され、載置面３２には上面２３に載置される際に結合突起２７が挿入されて結合され、打撃面３４と同じ方向の結合面３２Ｃ−１が３〜８角形に形成された結合溝３２Ｃが備えられ、締付けボルト４０を締め付け結合するためのねじ締付け用溝３２Ｂが形成される。
【００５２】
このような構造の演習用ゴルフパターは、打撃部材３０に形成された球面打撃面３４Ａや平面打撃面３４Ｂのうち、いずれか一つの打撃面３４を選択して使用するように構成されている。すなわち、複数の打撃面３４のうち選択された打撃面３４が切開部２６を介して露出されるように打撃部材３０の方向を設定して結合溝３２Ｃに結合突起２７を結合させ、締付けボルト４０を貫通孔２２を介して結合溝３２Ｃのねじ締付け用溝３２Ｂに締め付けて結合するのである。
例えば、使用者が打撃部材３０の球面打撃面３４Ａや平面打撃面３４Ｂのうち球面打撃面３４Ａを選択した場合に、球面打撃面３４Ａが切開部２６を介して露出されるように、球面打撃面３４Ａと一致する結合溝３２Ｃの結合面３２Ｃ−１が切開部２６の方向に向かうように上記打撃部材３０の結合溝３２Ｃに結合突起２７を挿入した後、締付けボルト４０を締め付けて堅固に結合する。
【００５３】
このように、多数の打撃面３４が形成された打撃部材３０には各打撃面３４と同じ方向を有する多数の結合面３２Ｃ−１を備えた多角形の結合溝３２Ｃが設けられ、パターヘッド２０の上面２３には多角形の結合突起２７が形成されることにより、使用者が多数の打撃面３４のうち選好する打撃面３４を選択し当該打撃面３４が切開部２６を介して露出されるように当該打撃面３４と一致する結合面３２Ｃ−１が切開部２６の方向に向かうように結合突起２７を結合溝３２Ｃに結合することにより、選択した当該打撃面３４を用いて打撃演習を行うことができるようになる。
【００５４】
すなわち、一つの打撃部材３０に多数の打撃面３４が形成され、各打撃面３４を単純な構造で選択的に使用することができるように構成されているため、打撃面３４の選択の幅を広げることができる。
【００５５】
図１２は本発明の第４実施例を示す斜視図であり、図１３は図１２に示された推定部材の使用を説明するための概略図である。
【００５６】
図１２及び図１３に示されているように、第４実施例による演習用ゴルフパターは、シャフト１０に、ホールカップ６００の大きさを推定するための推定孔７２０を有する推定部材７００が折り曲げ可能に備えられ、この推定部材７００の一端がシャフト１０に軸７１０を介してヒンジ結合され、シャフト１０には推定部材７００を基準として推定孔７２０の大きさや個数を表示するための推定目盛り７３０が連続して形成されていることを除いては上述の実施例と同様である。
【００５７】
この時、軸７１０を介してシャフト１０にヒンジ結合された推定部材７００が折り曲げられる時にシャフト１０に密着するように、推定部材７００は図１２に示されているように湾曲して形成されるのが望ましい。このような構造により、推定部材７００は折り曲げられた時にシャフト１０に密着するため、パターの使用時に推定部材７００が妨げとなることがない。
そして推定孔７２０は円状でも長孔状でもよく、長孔状に形成される場合に長孔には目盛りが等間隔で形成されてもよい。推定孔７２０の上記のような目盛りを通してホールカップのサイズを推定することができ、パッティングの位置を正確に設定することもできる。
【００５８】
一方、シャフト１０に推定部材７００と推定目盛り７３０が具備されれば、図１３に示されているように、ホールカップ６００の大きさを推定してグリーンの傾斜度に応じてゴルフボールをホールカップ６００とどれぐらい離れた位置へパッティングするべきかが確認できるようになる。
【００５９】
例えば、グリーンの傾斜度が１゜である時、推定孔７２０でホールカップ６００を推定して推定孔７２０とホールカップ６００とが一致すると、ホールカップ６００を基準としてホールカップ６００の幾つかだけ傾斜した方向へパッティングするべきかを判断し、例えば、ホールカップ６００を基準として２つのホールカップ６００だけ離れたところをパッティングを試みる方向と決める。続いて、推定孔７２０にホールカップ６００が一致した状態で、２つの推定孔７２０に該当する推定目盛り７３０と一致する仮想の位置、つまりホールカップ６００を仮想の水平線の中心に置き、２つの推定孔７２０に該当する推定目盛り７３０と一致する仮想の水平線の位置をパッティング方向と設定するのである。このようにパッティング方向が決まると、使用者は仮想の水平線上のパッティング方向に向かってパッティングする。
【００６０】
このようにパッティングする仮想の位置を推定して正確に設定することができるため、正確なパッティングが可能となる。
【００６１】
以上、本発明の特定の実施例を説明し図示したが、本発明は記載した実施例に限定されるのではなく、本発明の思想や範囲を逸脱せずに様々な修正及び変形が可能であるのは当該技術分野における通常の知識を有する者にとって自明なことであろう。したがって、そのような修正例または変形例は本発明の技術的思想や観点から個別的に理解されてはならず、変形された実施例は本発明の特許請求の範囲に属すると言うべきである。
【産業上の利用可能性】
【００６２】
本発明による演習用ゴルフパターは、多様な打撃面を有する打撃部材をパターヘッドに選択的に結合することができ、入れ替え可能であり、打撃面を選択してパッティング演習を効率的に行うことができるという点で、既存技術の限界を越えることにより、関連技術に対する利用だけでなく適用される装置の市販または営業の可能性が十分なばかりか、現実的に明白に実施可能な程度であるため、産業上の利用可能性がある発明である。
【符号の説明】
【００６３】
１０：シャフト   
２０、２００：パターヘッド 
２２：貫通孔   
２３：上面 
２３Ａ：縁部 
２４：ヘッド打撃面（パターヘッドの打撃面） 
２６：切開部  
２７：結合突起
３０：打撃部材 
３２：載置面 
３２Ａ：支持面   
３２Ｂ：ねじ締付け用溝 
３２Ｃ：結合溝   
３２Ｃ−１：結合面 
３４：打撃面   
３４Ａ：球面打撃面 
３４Ｂ：平面打撃面  
４０：締付けボルト 
３００Ａ：第１打撃部材  
３００Ｂ：第２打撃部材 
３００Ｃ：第３打撃部材  
４００：結合ロッド
５００：位置変更手段  
５１０：連結結合部材 
５２０：位置決め溝  
６００：ホールカップ 
７００：推定部材  
７１０：軸 
７２０：推定孔   
７３０：推定目盛り
【図１】
2019521808.tif 000003
【図２】
2019521808.tif 000004
【図３】
2019521808.tif 000005
【図４】
2019521808.tif 000006
【図５】
2019521808.tif 000007
【図６】
2019521808.tif 000008
【図７】
2019521808.tif 000009
【図８】
2019521808.tif 000010
【図９】
2019521808.tif 000011
【図１０】
2019521808.tif 000012
【図１１】
2019521808.tif 000013
【図１２】
2019521808.tif 000014
【図１３】
2019521808.tif 000015
【国際調査報告】
2019521808.tif 000016
2019521808.tif 000017
2019521808.tif 000018
2019521808.tif 000019